(57)【要約】【課題】  キーボードの端の方を押しても容易に収納可能な引き出し型収納構造物を提供する。【解決手段】  収納箱２は収納物１を収納し、引き出し機能部品３が移動する際のレールの役割をする溝２ａが設けられ、引き出し機能部品３の突起３ａを収納箱２の溝２ａ各々に引っかけることで引き出し機能部品３を収納箱２に取り付けている。突起３ａは溝２ａの長手方向に沿う部分の長さを短くすることで、溝２ａに接触する部分の面積を小さくしている。引き出し機能部品３には、収納物１をロックするための収納物ロック用部品５が取り付けられ、収納物１が収納位置までくると、収納物ロック用部品５にて収納物１が飛び出さないようにロックする。収納物１を保持する引き出し機能部品３は、引き出し機能部品ロック用部品６によって収納箱２にロックされる。【選択図】      図１
2008117323.tif 000002
【特許請求の範囲】
【請求項１】
収納物を収納する収納箱と、前記収納物を前記収納箱から引き出すための引き出し機能部品とからなり、前記収納箱において前記収納物の収納／排出方向と同方向に設けられた複数の溝内を前記引き出し機能部品に設けた複数の突起が摺動することで前記収納箱に対して前記収納物の収納／排出を行う引き出し型収納構造物であって、
前記収納物が傾きながら前記収納箱に収納される際に前記突起と前記溝との接触抵抗を、前記収納物の傾きと略同一の傾きを前記引き出し機能部品に与えるように少なくしたことを特徴とする引き出し型収納構造物。
【請求項２】
前記突起の前記溝の長手方向に沿う方向の長さを短くして前記突起と前記溝との接触面積を小さくすることで前記突起と前記溝との接触抵抗を少なくすることを特徴とする請求項１記載の引き出し型収納構造物。
【請求項３】
前記収納物の前記収納箱からの排出時に前記引き出し機能部品に対して前記収納物が排出される方向に付勢する第１の付勢部材と、前記第１の付勢部材とは逆方向に付勢しかつ前記引き出し機能部品の長手方向が前記溝の長手方向と略垂直となるように釣り合いを取る１対の第２の付勢部材とを含むことを特徴とする請求項１または請求項２記載の引き出し型収納構造物。
【請求項４】
前記１対の第２の付勢部材にて前記収納物が傾くのを抑止することを特徴とする請求項３記載の引き出し型収納構造物。
【請求項５】
前記第１及び第２の付勢部材は、バネ部材からなることを特徴とする請求項３または請求項４記載の引き出し型収納構造物。
【請求項６】
前記収納物が予め設定された収納位置まできた時に前記収納物を前記引き出し機能部品に固定する第１のロック部材と、前記収納物が前記収納位置まできた時に前記引き出し機能部品を前記収納箱に固定する第２のロック部材とを含むことを特徴とする請求項１から請求項５のいずれか記載の引き出し型収納構造物。
【請求項７】
収納物を収納する収納箱と、前記収納物を前記収納箱から引き出すための引き出し機能部品とからなり、前記収納箱において前記収納物の収納／排出方向と同方向に設けられた複数の溝内を前記引き出し機能部品に設けた複数の突起が摺動することで前記収納箱に対して前記収納物の収納／排出を行う引き出し型収納構造物に用いる収納／排出動作制御方法であって、
前記収納物が傾きながら前記収納箱に収納される際に前記突起と前記溝との接触抵抗を、前記収納物の傾きと略同一の傾きを前記引き出し機能部品に与えるように少なくしたことを特徴とする収納／排出動作制御方法。
【請求項８】
前記突起の前記溝の長手方向に沿う方向の長さを短くして前記突起と前記溝との接触面積を小さくすることで前記突起と前記溝との接触抵抗を少なくすることを特徴とする請求項７記載の収納／排出動作制御方法。
【請求項９】
前記収納物の前記収納箱からの排出時に第１の付勢部材にて前記引き出し機能部品に対して前記収納物が排出される方向に付勢し、前記第１の付勢部材とは逆方向に付勢する１対の第２の付勢部材にて前記引き出し機能部品の長手方向が前記溝の長手方向と略垂直となるように釣り合いを取ることを特徴とする請求項７または請求項８記載の収納／排出動作制御方法。
【請求項１０】
前記１対の第２の付勢部材にて前記収納物が傾くのを抑止することを特徴とする請求項９記載の収納／排出動作制御方法。
【請求項１１】
前記第１及び第２の付勢部材が、バネ部材からなることを特徴とする請求項９または請求項１０記載の収納／排出動作制御方法。
【請求項１２】
第１のロック部材にて前記収納物が予め設定された収納位置まできた時に前記収納物を前記引き出し機能部品に固定し、第２のロック部材にて前記引き出し機能部品を前記収納箱に固定することを特徴とする請求項７から請求項１１のいずれか記載の収納／排出動作制御方法。
【発明の詳細な説明】
【技術分野】
【０００１】
本発明は引き出し型収納構造物及びそれに用いる収納／排出動作制御方法に関し、特に台座部分にキーボードを引き出し型で収納可能な構造物に関する。
【背景技術】
【０００２】
従来、この種の構造物としては、台座部分にキーボードを引き出し型で収納することができる構造になっているＬＣＤ（Ｌｉｑｕｉｄ  Ｃｒｙｓｔａｌ  Ｄｉｓｐｌａｙ）モニタがある。
【０００３】
また、上記のようなキーボード収納構造においては、排出時にバネの力等を利用して、キーボード（テンキー専用のキーボード等）が台座部分から飛び出してくるような機構をとっている場合もある（例えば、特許文献１参照）。
【特許文献１】特開２００３−３１６４９４
【発明の開示】
【発明が解決しようとする課題】
【０００４】
上述した従来の構造物では、上記のＬＣＤモニタの場合、図６に示すように、収納／排出時のキーボードの動作経路となっているガイド２ｂが机の引き出しのように長くなっているので、キーボードの端の方を押すと、キーボードの回転動作によって、ガイド２ｂには横方向の力が働くようになり、ガイド同士の反力が大きくなって、引き出し機能部品３の動きを止める力が働いてしまうため、収納時にキーボードの端の方を押すと入りにくくなるという問題がある。
【０００５】
また、上記のようなキーボード収納構造では、排出時にバネの力等を利用して、キーボードが台座部分から飛び出してくるような機構をとっている場合、キーボードが斜めに出てきてしまい、キーボードに傷がついたり、出てくる時に引っかかってしまう等の問題がある。
【０００６】
そこで、本発明の目的は上記の問題点を解消し、キーボードの端の方を押しても容易に収納することができる引き出し型収納構造物及びそれに用いる収納／排出動作制御方法を提供することにある。
【０００７】
また、本発明の他の目的は、排出時にバネの力等を利用して収納物が収納箱から飛び出してくるような機構を取っている場合、排出時に斜めの状態で排出されなくすることができる引き出し型収納構造物及びそれに用いる収納／排出動作制御方法を提供することにある。
【課題を解決するための手段】
【０００８】
本発明による第１の引き出し型収納構造物は、収納物を収納する収納箱と、前記収納物を前記収納箱から引き出すための引き出し機能部品とからなり、前記収納箱において前記収納物の収納／排出方向と同方向に設けられた複数の溝内を前記引き出し機能部品に設けた複数の突起が摺動することで前記収納箱に対して前記収納物の収納／排出を行う引き出し型収納構造物であって、
前記収納物が傾きながら前記収納箱に収納される際に前記突起と前記溝との接触抵抗を、前記収納物の傾きと略同一の傾きを前記引き出し機能部品に与えるように少なくしている。
【０００９】
本発明による第２の引き出し型収納構造物は、上記の構成の他に、前記収納物の前記収納箱からの排出時に前記引き出し機能部品に対して前記収納物が排出される方向に付勢する第１の付勢部材と、前記第１の付勢部材とは逆方向に付勢しかつ前記引き出し機能部品の長手方向が前記溝の長手方向と略垂直となるように釣り合いを取る１対の第２の付勢部材とを具備している。
【００１０】
本発明による第１の収納／排出動作制御方法は、収納物を収納する収納箱と、前記収納物を前記収納箱から引き出すための引き出し機能部品とからなり、前記収納箱において前記収納物の収納／排出方向と同方向に設けられた複数の溝内を前記引き出し機能部品に設けた複数の突起が摺動することで前記収納箱に対して前記収納物の収納／排出を行う引き出し型収納構造物に用いる収納／排出動作制御方法であって、
前記収納物が傾きながら前記収納箱に収納される際に前記突起と前記溝との接触抵抗を、前記収納物の傾きと略同一の傾きを前記引き出し機能部品に与えるように少なくしている。
【００１１】
本発明による第２の収納／排出動作制御方法は、上記の動作の他に、前記収納物の前記収納箱からの排出時に第１の付勢部材にて前記引き出し機能部品に対して前記収納物が排出される方向に付勢し、前記第１の付勢部材とは逆方向に付勢する１対の第２の付勢部材にて前記引き出し機能部品の長手方向が前記溝の長手方向と略垂直となるように釣り合いを取っている。
【００１２】
すなわち、本発明の引き出し型収納構造物は、収納箱と引き出し機能部品とから構成されるガイドを短くすることで、つまり収納箱の溝に沿って摺動する引き出し機能部品の突起の溝に沿う方向の長さを短くすることで、収納時に、収納物の端の方を押しても収納物が収納箱に容易に収納可能としている。この場合、引き出し機能部品の突起の溝に沿う方向の長さを短くすることで、収納物が傾きながら収納箱に収納される際に、突起と溝との接触抵抗が、収納物の傾きと略同一の傾きを引き出し機能部品に与えるように少なくなる。
【００１３】
また、本発明の引き出し型収納構造物では、排出時にバネの力等を利用して収納物が収納箱から飛び出してくるような機構をとっている場合、収納物が収納箱から斜めの状態で排出されてしまうのを排出制御用バネを取り付けることで防止している。この場合、収納物の収納箱からの排出時に引き出し機能部品に対して収納物が排出される方向にバネの力等で付勢し、この付勢方向とは逆方向に付勢する１対の排出制御用バネにて引き出し機能部品の長手方向が溝の長手方向と略垂直となるように釣り合いを取っている。
【００１４】
これによって、本発明の引き出し型収納構造物では、収納物の端の方を押すことで、収納物が傾きながら入っていっても、引き出し機能部品も同じように傾くことが可能なので、収納箱と引き出し機能部品との間の抵抗が少なくなり、収納が容易になる。
【００１５】
また、本発明の引き出し型収納構造物では、排出時に、排出制御用バネの効果によって、排出時のガタつきを吸収して、収納物がでてくる時に傾かないようにすることが可能となる。
【００１６】
さらに、本発明の引き出し型収納構造物では、押し出し用バネのみの場合に生ずる、収納／排出時の衝突音が大きい等の問題も、上記の排出制御用バネを使用し、引き出し機能部品を戻す方向の力を加えて、勢いを調整することによって、衝突音を緩和することが可能となる。
【００１７】
さらにまた、本発明の引き出し型収納構造物では、収納箱の上に重量物を乗せたりすると、環境変化によって変形等が生じることも考えられるが、そのような状態でガイド部分が変形した際にも、部品同士の接点を少くすることで、影響を少なくすることが可能となる。
【発明の効果】
【００１８】
本発明は、上記のような構成及び動作とすることで、キーボードの端の方を押しても容易に収納することができ、排出時にも斜めの状態で排出されなくすることができるという効果が得られる。
【発明を実施するための最良の形態】
【００１９】
次に、本発明の実施例について図面を参照して説明する。図１は本発明の一実施例による収納／排出機構の斜視図であり、図２は図１のＡＡ線に沿う矢視方向の断面図であり、図３は本発明の一実施例による収納／排出機構の分解斜視図である。
【００２０】
これらの図において、本発明の一実施例による収納／排出機構は、収納物１と、収納箱２と、引き出し機能部品３と、複数の排出制御用バネ４ａ，４ｂと、収納物ロック用部品５と、引き出し機能部品ロック用部品６と、押し出し用バネ７とから構成されている。
【００２１】
収納箱２は収納物１を収納し、引き出し機能部品３が移動する際のレールの役割をする複数の溝２ａ（図１及び図３では３本の溝２ａ）が設けられている。引き出し機能部品３には収納箱２の複数の溝２ａ各々に引っかかるような複数の突起３ａ（図１及び図３では３個の突起３ａ）が設けられており、複数の突起３ａをそれぞれ対応する複数の溝２ａに引っかけることで収納箱２に取り付けられている。この場合、突起３ａでは溝２ａの長手方向に沿う部分の長さを短くすることで、突起３ａの溝２ａに接触する部分の面積を小さくしている。
【００２２】
また、引き出し機能部品３には、収納物１をロックするための収納物ロック用部品５が取り付けられており、収納物１が予め設定された収納位置までくると、収納物ロック用部品５にて収納物１が飛び出さないようにロックする。その際、収納物１を保持する引き出し機能部品３は、引き出し機能部品ロック用部品６によって収納箱２にロックされる。
【００２３】
一方、収納箱２には、収納物１を排出するための押し出し用バネ７と、その押し出し用バネ７による排出動作を制御する排出制御用バネ４ａ，４ｂとが、引き出し機能部品３との間に取り付けられている。尚、排出制御用バネ４ａ，４ｂ各々は引き出し機能部品３の複数の突起３ａのうちの両端に位置する突起３ａにそれぞれ対応するように取り付けられている。
【００２４】
図４及び図５は本発明の一実施例による収納／排出機構の動作を説明するための斜視図である。これら図１〜図５を参照して本発明の一実施例による収納／排出機構の動作について説明する。
【００２５】
収納物１を収納箱２に収納すると、収納物１が収納箱２に収納されている間、収納物１は収納物ロック用部品５にて収納箱２にロックされる。この時、収納物１を保持する引き出し機能部品３は、引き出し機能部品ロック用部品６によって収納箱２にロックされる。
【００２６】
すなわち、収納物１が収納箱２に収納される時には、収納物１が収納箱２内に移動するにつれて引き出し機能部品３が押され、引き出し機能部品３の複数の突起３ａがそれぞれ収納箱２の複数の溝２ａに沿って進む。
【００２７】
収納物１が収納箱２内に収容され、収納物１が予め設定された収納位置までくると、引き出し機能部品３に取り付けられている収納物ロック用部品５が働き、収納物１は引き出し機能部品３に固定される。
【００２８】
この時、引き出し機能部品３は収納箱２に取り付けられている引き出し機能部品ロック用部品６によって収納箱２に固定されるので、収納物１は収納物ロック用部品５及び引き出し機能部品ロック用部品６によって、引き出し機能部品３を介して収納箱２に収納された状態となる。
【００２９】
その際、収納物１の右端の方を押して、収納物１を収納箱２に収納しようとすると、収納物１は傾きながら収納箱２内に入っていく。本実施例では、収納箱２の溝２ａに沿って摺動する引き出し機能部品３の突起３ａの長さ、つまり溝２ａに沿う方向の長さを短くしているので、引き出し機能部品３も、収納物１が傾くのと同時に傾くこととなる。
【００３０】
この収納物１が傾いた状態を図５に示す。図５に示すように、収納物１が傾くと、引き出し機能部品３も傾くので、複数の突起３ａ各々における収納位置（溝２ａの終端）までの長さが異なる状態となる。図５では、複数の突起３ａのうちの右端の突起は溝２ａの終端に達しているが、複数の突起３ａのうちの左端の突起は溝２ａの終端まで距離を残している。
【００３１】
この状態で、収納物１の左端の方を押すと、複数の突起３ａのうちの左端の突起が溝２ａの終端に達することとなり、収納物１が収納箱２内に収納されることとなる。このように、収納物１が引き出し機能部品３と共に、左右ともに収納位置まで押し込まれると、収納物１が上記の動作によって収納箱２にロックされる。
【００３２】
収納物１の収納箱２からの排出時には、収納物１をさらに収納箱２内に押し込むことで、引き出し機能部品ロック用部品６のロックが解除され、収納箱２から引き出し機能部品３が離れるので、押し出し用バネ７が引き出し機能部品３を収納物１と共に収納箱２から押し出すように排出する。
【００３３】
この収納物１の排出時にも、引き出し機能部品３が傾きやすくなるため、引き出し機能部品３が傾いた状態で収納物１を押し出すと、収納物１は斜めに傾いた状態で出てきてしまう。
【００３４】
これを避けるため、引き出し機能部品３の左右のつりあいが保てるように、収納箱２と引き出し機能部品３との間に排出制御用バネ４ａ，４ｂを取り付けている。このため、例えば、図５に示すように、収納物１及び引き出し機能部品３が傾いた状態で、引き出し機能部品３が収納箱２から離れようとしても、伸ばされた方の排出制御用バネ４ａに引き戻す力が働き、排出制御用バネ４ｂとのつりあいを保つことで、引き出し機能部品３の傾きがなくなる方向に補正され、その結果、収納物１が傾くことなく、まっすぐに排出される。
【００３５】
このように、本実施例では、収納物１の左右端の一方を押すことで、収納物１が傾きながら収納箱２内に入っていっても、引き出し機能部品３が収納物１と同じように傾くので、収納箱２と引き出し機能部品３との間の抵抗が少なくなり、収納物１の収納箱２内への収納が容易になる。
【００３６】
収納物１の収納箱２内からの排出時には、排出制御用バネ４ａ，４ｂがともに釣り合おうとするので、収納物１の排出時のガタつきを吸収して、収納物１がでてくる時に傾かないようにすることができる。
【００３７】
また、押し出し用バネ７のみでは、収納／排出時の衝突音が大きい等の問題も生ずるが、排出制御用バネ４ａ，４ｂが押し出し用バネ７とは逆方向に収納物１を付勢するので、引き出し機能部品３を戻す方向の力を加えて、収納物１の収納／排出時の勢いを調整することによって、衝突音を緩和することができる。
【００３８】
さらに、収納箱２の上に重量物を乗せたりすると、環境変化によって変形等が生じることも考えられるが、そのような状態でガイド部分が変形した際にも、部品同士の接点が少ない（接触面積が小さい）ので、ガイド部分の変形による影響も少ない。
【００３９】
尚、本発明の一実施例では、上記のように、排出制御用バネ４ａ，４ｂを用いて押し出し用バネ７の付勢力の減衰を行い、相互のつりあいをとっているが、バネでなくとも、減衰機能を持った他部品を使用しても上記と同様の効果を得ることができる。
【図面の簡単な説明】
【００４０】
【図１】本発明の一実施例による収納／排出機構の斜視図である。
【図２】図１のＡＡ線に沿う矢視方向の断面図である。
【図３】本発明の一実施例による収納／排出機構の分解斜視図である。
【図４】本発明の一実施例による収納／排出機構の動作を説明するための斜視図である。
【図５】本発明の一実施例による収納／排出機構の動作を説明するための斜視図である。
【図６】従来例による収納／排出機構の斜視図である。
【符号の説明】
【００４１】
１  収納物
２  収納箱
３  引き出し機能部品
４ａ，４ｂ  排出制御用バネ
５  収納物ロック用部品
６  引き出し機能部品ロック用部品
７  押し出し用バネ
【図１】
2008117323.tif 000003
【図２】
2008117323.tif 000004
【図３】
2008117323.tif 000005
【図４】
2008117323.tif 000006
【図５】
2008117323.tif 000007
【図６】
2008117323.tif 000008